(57)【要約】【課題】小物収納具を構成する部材の「点数」を可能な限り少なくすると共に、各部材を簡単に組み合わせることができること。【解決手段】小物収納体と、この小物収納体の背面に固定的に設けられた左右一対の第１取付け体と、これらの第１取付け体に取外し可能に係着する左右一対の第２取付け体と、これらの第２取付け体にそれぞれ設けられた受入部に一部又は全部のいずれかがそれぞれ挿嵌される左右一対の棒状上部連結体と、これらの棒状上部連結体の下端部に互いの連結構造により取り外し可能に接続し、小物収納体をバックの底面に対して底上げする単数又は複数のいずれかの棒状下部連結体とから成るバック用小物収納具。【選択図】図５
2018000536.tif 000002
【特許請求の範囲】
【請求項１】
小物収納体と、この小物収納体の背面に固定的に設けられた左右一対の第１取付け体と、これらの第１取付け体に取外し可能に係着する左右一対の第２取付け体と、これらの第２取付け体にそれぞれ設けられた受入部に一部又は全部のいずれかがそれぞれ挿嵌される左右一対の棒状上部連結体と、これらの棒状上部連結体の下端部に互いの連結構造により取り外し可能に接続し、前記小物収納体をバックの底面に対して底上げする単数又は複数のいずれかの棒状下部連結体とから成るバック用小物収納具。
【請求項２】
請求項１に於いて、前記連結構造は、オス・メスによる嵌着又は螺着のいずれかであることを特徴とするバック用小物収納具。
【請求項３】
請求項１に於いて、第１取付け体と第２取付け体は、それぞれ互いに係脱する縦長帯状の面ファスナーであり、前記第２取付け体の受入部は縦長であることを特徴とするバック用小物収納具。
【請求項４】
小物収納体と、この小物収納体の背面に固定的に設けられた左右一対の第１取付け体と、これらの第１取付け体に取外し可能に係着する左右一対の第２取付け体と、これらの第２取付け体にそれぞれ設けられた左右一対の棒状上部連結体と、これらの棒状上部連結体の下端部に互いの連結構造により取り外し可能に接続し、前記小物収納体をバックの底面に対して底上げする単数又は複数のいずれかの棒状下部連結体とから成り、前記左右一対の棒状上部連結体は、前記棒状下部連結体に対して伸縮可能であり、しかも、前記棒状上部連結体を引き伸し又は引っ込めた所で、該棒状上部連結体を前記棒状下部連結体にロックするロック手段を備えているバック用小物収納具。
【請求項５】
小物収納体と、この小物収納体の背面に固定的に設けられた左右一対の第１取付け体と、これらの第１取付け体にそれぞれ係着自在な第２取付け体と、これらの第２取付け体の端部又は中央部のいずれかにそれぞれ設けられた左右一対の縦長の受入部と、これらの縦長の受入部にそれぞれ取外し可能に嵌挿される単数又は複数のいずれかの所定長の棒状連結体とから成り、前記棒状連結体の上端部を前記受入部に嵌挿すると、前記小物収納体はバックの底部の内面に対して底上げされるバック用小物収納具。
【発明の詳細な説明】
【技術分野】
【０００１】
本発明は、トートバック等のバック類に出し入れ自在なバック用小物収納具に関する。
【背景技術】
【０００２】
特許文献１は出願人が提案したものである。この特許文献１に記載のバック用小物収納具は、「バック１内に収納することができる２枚の板材４、４を重ねて一体となるように構成したベース板６と、このベース板の少なくとも一方の板材の上部寄りの部位あるいは、該ベース板の上部に開口部７を形成したベース板の板材間に上下方向に摺動できる摺動ベルト９を挿入することができる少なくとも１個以上の摺動ベルト挿入孔と、この少なくとも１個以上の摺動ベルト挿入孔に挿入される前記摺動ベルト９と、この摺動ベルトの上部に固定され、かつ上部に引き出し部１３が設けられた小物を収納することができるポケット１１とからなる（符号は特許文献１のもの）」ので、構成が複雑である、製作が容易でない等という問題点があった。そこで、このような問題点を解決するために本発明が出現した。
【先行技術文献】
【特許文献】
【０００３】
【特許文献１】特開２０１５−５８２３９号
【発明の概要】
【発明が解決しようとする課題】
【０００４】
本願発明の主たる目的は、小物収納具を構成する部材の「点数」を可能な限り少なくすると共に、各部材を簡単に組み合わせることができることである。付言すると、簡単な構成でかつ安価なバック用小物収納具を提案することである。第２の目的は、バックに対して容易に出入可能にすると共に、小物収納体をバックの底部の内面に対して底上げし、手帳、ポーチ、携帯端末、名刺入れ等の小物類の出し入れの利便性を向上させることである。第３の目的は、小物収納体を安定的に支持することができることである。第４の目的は、棒状連結体の長さを容易に選択することができることである。第５の目的は、第１取付け体に対する第２取付け体の係着位置を上下方向にずらすだけで、容易に小物収納体の上下方向に位置を変更或いは選択することができることである。
【課題を解決するための手段】
【０００５】
本発明のバック用小物収納具は、小物収納体と、この小物収納体の背面に固定的に設けられた左右一対の第１取付け体と、これらの第１取付け体に取外し可能に係着する左右一対の第２取付け体と、これらの第２取付け体にそれぞれ設けられた受入部に一部又は全部のいずれかがそれぞれ挿嵌される左右一対の棒状上部連結体と、これらの棒状上部連結体の下端部に互いの連結構造により取り外し可能に接続し、前記小物収納体をバックの底面に対して底上げする単数又は複数のいずれかの棒状下部連結体とから成る。
【０００６】
また本発明のバック用小物収納具は、小物収納体と、この小物収納体の背面に固定的に設けられた左右一対の第１取付け体と、これらの第１取付け体に取外し可能に係着する左右一対の第２取付け体と、これらの第２取付け体にそれぞれ設けられた左右一対の棒状上部連結体と、これらの棒状上部連結体の下端部に互いの連結構造により取り外し可能に接続し、前記小物収納体をバックの底面に対して底上げする単数又は複数のいずれかの棒状下部連結体とから成り、前記左右一対の棒状上部連結体は、前記棒状下部連結体に対して伸縮可能であり、しかも、前記棒状上部連結体を引き伸し又は引っ込めた所で、該棒状上部連結体を前記棒状下部連結体にロックするロック手段を備えている。
【０００７】
さらに、本発明のバック用小物収納具は、小物収納体と、この小物収納体の背面に固定的に設けられた左右一対の第１取付け体と、これらの第１取付け体にそれぞれ係着自在な第２取付け体７、７と、これらの第２取付け体の端部又は中央部のいずれかにそれぞれ設けられた左右一対の縦長の受入部と、これらの縦長の受入部にそれぞれ取外し可能に嵌挿される単数又は複数のいずれかの所定長の棒状連結体とから成り、前記棒状連結体の上端部を前記受入部に嵌挿すると、前記小物収納体はバックの底部の内面に対して底上げされる。
【発明の効果】
【０００８】
（ａ）各独立請求項に記載の発明は、小物収納具を構成する部材の「点数」を可能な限り少なくすると共に、各部材を簡単に組み合わせることができる。またバックに対して容易に出入可能にすると共に、小物収納体をバックの底部の内面に対して底上げし、手帳、ポーチ、携帯端末、ＣＤプレーヤー、名刺入れ、化粧品、財布等の小物類の出し入れの利便性を向上させることができる。
（ｂ）請求項２に記載の発明は、前記連結構造は、オス・メスによる嵌着又は螺着のいずれかであることから、簡単に棒状上部連結体と棒状下部連結体を接続することができる。
（ｃ）請求項３に記載の発明は、第１取付け体と第２取付け体は、それぞれ互いに係脱する縦長帯状の面ファスナーであり、前記第２取付け体の受入部は縦長であるから、第２取付け体の係着位置を上下方向に位置変位させると、縦長の受入部の上下方向の位置も変わるので、小物収納体はバックの底部の内面に対して微妙に底上げすることができる。
（ｄ）請求項４に記載の発明は、棒状連結体の長さを容易に選択することができることができる。
（ｅ）請求項５に記載の発明は、より簡単な構成により、請求項３に記載の発明と同一の効果を得ることができる。
【図面の簡単な説明】
【０００９】
図１乃至図６は本発明の第１実施形態を示す各説明図、図７乃至図１３は本発明の他の実施形態を示す各説明図。
【図１】バック用小物収納具Ｘの一側面（背面）から見た斜視図。
【図２】バック用小物収納具Ｘの他側面（正面）から見た斜視図。
【図３】図１の３−３線概略断面説明図。
【図４】主要部の分解説明図
【図５】バック用小物収納具ＸをバックＹに入れる説明図。
【図６】バック用小物収納具ＸをバックＹに入れた一部概略断面説明図。
【図７】第２実施形態として、「連結構造１３Ａ」の説明図で、（ａ）は棒状連結体１１の螺合前の斜視図、（ｂ）は棒状連結体１１の螺合後の斜視図である。
【図８】第３実施形態として、「棒状連結体１１Ａ」を構成する棒状下部連結体の説明図で、（ａ）は棒状連結体１１Ａを連結する前の斜視図、（ｂ）は棒状連結体１１Ａの連結後の斜視図である。
【図９】第４実施形態の分解斜視図。
【図１０】第４実施形態の棒状連結体１１Ｂ（棒状上部連結体１２Ｂと棒状下部連結体１４Ｂが互いに嵌合）の説明図。
【図１１】棒状連結体１１Ｂの縦断面の概略説明図。
【図１２】図１０の１２−１２線に沿う拡大断面説明図。
【図１３】第５実施形態として、（ａ）はバック用小物収納具Ｘ２の正面図、（ｂ）は前記（ａ）において小物収納部を底上げした場合の正面図。
【発明を実施するための最良の形態】
【００１０】
図１乃至図６は第１実施形態を示す各説明図である。第１実施形態の説明に於いて、左右とは図１を基準にした用語である。まずＸは、各種のバック、例えばバックの一例であるトートバックＹ内に出し入れ自在に収納することができるバック用小物収納具である。この種のバック用小物収納具は、いわゆるバック用インナー（例えば特開平１１−３２８２８号公報）とも称され、所定形状及び大きさの取り付基板あるいはベース板の一側面または前後の両側面に設けられた単数又は複数の収納部に、手帳、ポーチ、携帯端末、ＣＤプレーヤー、名刺入れ、化粧品、財布等の図示しない小物類を収納することができる。
【００１１】
そこで、図１はバック用小物収納具Ｘの一側面（ここでは「背面」という）から見た斜視図である。この図１に於いて、１は横長矩形状のベース板を含む小物収納体で、この小物収納体１は、布、合板、プラスチック、金属等の材質で出来ているが、望ましくは弾性変位復帰機能、形態保持機能を有する材質を用いる。なお、布を採用する場合には、前記形態保持性を考慮して、やや厚さのある生地を用いのが望ましい。
【００１２】
さて、小物収納体１は、所定形状及び大きさのベース板２と、このベース板２の一側面とは反対側の他側面（ここでは「正面」という）に設けられた収納部の一例としてのポケット部３と、前記ベース板２の背面の左右両端部に固定的に設けられた左右一対の第１取付け体４、４とから構成されている（図１参照）。
【００１３】
この小物収納体１は、例えば図５で示すトートバックＹ内に出し入れ自在に収納することができるから、その形状及び大きさは、該トートバックＹの縦及び横の長さを考慮して決める。具体的には、例えばトートバックＹの横の長さが４０センチメートルである場合には、ベース板２の横の長さは、それを考慮して３６〜３９センチメートル程度であることが望ましい。またトートバックＹの縦の長さが、例えば４５センチメートルである場合には、ベース板２及びポケット部３の横の長さは、それぞれ後述する棒状上部連結体１２及び棒状下部連結体１４の合計の長さ、トートバックＹ内に位置するポケット部３から小物を取り出す時の利便性（取り出し易さ）等を考慮して決めるのが好ましい。
【００１４】
前記ポケット部３は、実施形態では、収納の利便性を考え、図２で示すように、複数又は多数の小物を入れることができるように左右方向に幅広の開口５を有する一つのものとなっている。もちろん、ポケット部３の形状、大きさ、数、形成位置は、この実施形態に限定されるものではなく、左右又は／及び上下に複数個形成しても良い。またベース板２の正面２ａのみならず、その背面２ｂにも形成しても良い。ポケット部３を形成する場合、例えばベース板２よりも若干小さ目の布体を利用し、その左右の両端部３ａ、３ａと下端部３ｂを縫着により、カバーを有する袋状或いは上端開口のポケット状に形成する。さらに、特に図示しないが、ポケット部３又は／及びベース板２の両端部に持ち上げ用の引手を設けても良い。
【００１５】
左右一対の第１取付け体４、４は、同一構成なので、ここでは図４を参照にして一方（左側）を説明し、他方（右側）の説明は前記一方の説明を援用する。第１取付け体４は、帯状或いはテープ状の面ファスナーを縦方向に用いている。例えば第１取付け体４としての縦長帯状の面ファスナーを用いる場合には、左右上下の各端部をベース板２の背面２ｂに縫着する。背面２ｂに縫着する縦長帯状の面ファスナー４は、外面（表面）の略全体に、例えば多数の鉤又はキノコ型の細かな第１係着部分４ａを有している。
【００１６】
したがって、この第１取付け体４に係着する第２取付け体７としての縦長帯状の面ファスナーの内面（対向表面）の略全体も、前記第１係着部分４ａと係脱する多数の鉤又はループ型の細かな第２係着部分７ａを有している。もちろん、前記第１取付け体４と第２取付け体７は、それぞれ互いに係脱する縦長帯状の面ファスナーであることは独立請求項の特定要件ではないことから、例えばそれぞれ互いに係脱する多数の雄ホックと雌ホック（オス・メスのスナップ手段）を縦方向に所定間隔を有して一列に配設しても良い。
【００１７】
しかし、前記第１取付け体４と第２取付け体７がそれぞれ互いに係脱する縦長帯状の面ファスナーである場合には、第２取付け体７の係着位置を上下方向に自由に決めることができるので、小物収納物１の底上げの微調整を容易にすることができる、縫着が楽である等の利点から、両取付け体４，７は、縦長帯状の面ファスナー４であることが望ましい。
ここで図３及び図４を参照にして、前記第２取付け体７と棒状連結体１１の構成をそれぞれ説明する。棒状連結体１１は、その一部又は全部のいずれかが第２取付け体７に縦長に設けた受入部８に差し込み自在に挿嵌される。
【００１８】
まず第２取付け体７の一側面７ｂ（面ファスナーの外面）には、その上端が閉じられ、一方、下端が開口する縦長のパイプ状受入部８が、例えば縫着により形成されている。縦長のパイプ状受入部８は、後述の左右の棒状連結体１１のバランス性を考慮して第２取付け体７の一側面７ｂの略中央部に垂直に設けている。もちろん、前記バランス性を無視する場合には、前記一側面７ｂの左右端部のいずれかに設けても良い。
【００１９】
次に左右の棒状連結体１１、１１も同一構成なので、ここでは図４を参照にして一方（左側）を説明し、他方（右側）の説明は前記一方の説明を援用する。棒状連結体１１は、棒状上部連結体１２と、この棒状上部連結体の下端部に互いの連結構造１３により取り外し可能に接続し、小物収納体１を、バックＹの底面５０に対して底上げする棒状下部連結体１４とから成る。
【００２０】
棒状上部連結体１２は、第２取付け体７よりも長く、例えば図５で示すようにパイプ状受入部８に、その上端部から下端部寄りの部位まで差し込むと、下端部側がパイプ状受入部８から露出する。この露出量は、バックＹの底面を基準として小物収納部１の上端部が前記バックＹから突出する場合もあり得るので、そのような場合には、棒状上部連結体１２の上端部を適宜に切断し、棒状連結体１１の全体長を丁度良い長さに調整するためである。
【００２１】
したがって、棒状上部連結体１２と棒状下部連結体１４の長さを同一のものにしても良いが、望ましくは、後者の棒状下部連結体１４の長さを短くすると共に、複数本（例えば２本）にする。
【００２２】
前記連結構造１３は、実施形態では、嵌合構造であり、例えば前記棒状上部連結体１２の下端部に下端面中央部から内部へと形成された嵌合穴１３ａと、前記棒状下部連結体１４の上端部の中央部に突設された小突起１３ｂとから成る。両者の嵌合構造は、適宜に設計できる事項であるから、外嵌合又は内嵌合のいずれであっても良いが、棒状下部連結体１４と棒状上部連結体１２が容易に抜けないように緊嵌合状態であることが好ましい。なお、ここでの「嵌合構造」の概念には、オスとメスの係着構造も含まれる。
【００２３】
図５はバック用小物収納具ＸをバックＹに入れる説明図、図６はバック用小物収納具ＸをバックＹに入れた一部概略断面説明図である。バック用小物収納具ＸをバックＹに入れる場合には、小物収納体１の上端部を持って、バックＹの中に入れる。一方、バック用小物収納具ＸをバックＹから取出す場合には、小物収納体１の上端部又は図示しない引手を持って、小物収納体１を引き上げる。小物収納体１をバックＹの中に入れた場合には、図６で示すように、バック用小物収納具Ｘの小物収納体１の底部は、棒状連結体１１の長さに応じてバックＹの底部５０から離れ、いわゆる底上げされた状態と成る。この状態で小物収納体１に手帳、ポーチ、携帯端末、ＣＤプレーヤー、名刺入れ、化粧品、財布等の図示しない小物類を収納し、又は取り出すことができる。
【実施例】
【００２４】
実施形態の縦長の受入部８は、上端部が閉じられていると共に下端が開口するパイプ状の形態であるが、発明の課題を逸脱しない範囲で、その長さを短くすることができる。実施形態では、小物収納体１の安定性（左右に揺れないこと）に配慮し、第１取付け体４と第２取付け体７の両方を比較的長尺状に形成している。棒状連結体１１の長さや形状も、発明の課題を逸脱しない範囲で、任意に設計変更することができる。また、実施形態如何によっては、棒状連結体１１を構成する棒状下部連結体１４の下端部を適宜に切断して小物収納体１の底上げを調整しても良い。本発明の主たる課題は、「簡単な構成でかつ安価なバック用小物収納具を提案すること」であるから、縦長の受入部８の設ける位置は任意に設計変更をすることができる。
【００２５】
次に、図７乃至図１２を参照にして、本発明の他の実施形態を説明する。なお、他の実施形態の説明に当って、第１実施形態と同一の部分には同一又は同様の符号を付して重複する説明を割愛する。
【００２６】
図７は本発明の第２実施形態である。この第２実施形態は「連結構造１３Ａ」が異なる。第１実施形態の連結構造１３は嵌合構造であるが、この第２実施形態は螺着構造である。図７の（ａ）は棒状連結体１１の螺合前の斜視図、（ｂ）は棒状連結体１１の螺合後の斜視図である。第２実施形態では、例えば棒状上部連結体１２の下端部にメネジ１３ｃを形成し、一方、棒状下部連結体１４の小径上端部にオネジ１３ｄを形成しているが、両者の態様は逆であっても良い。この第２実施形態も第１実施形態と同一の課題を達成することができる。
【００２７】
図８は本発明の第３実施形態である。この第３実施形態は「棒状連結体１１Ａ」が異なる。（ａ）は棒状連結体１１Ａを連結する前の斜視図、（ｂ）は棒状連結体１１Ａの連結後の斜視図である。第３実施形態では、例えば棒状下部連結体１４Ａを上向き略コ字形状に形成することにより、「複数（２本）」から「単数（１本）」にしている。したがって、棒状下部連結体１４Ａは、左右一対の支持腕部１４ａ、１４ａと、該支持腕部の下端部を連結する水平脚部１４ｂとから成る。この第３実施形態は棒状下部連結体１４Ａが上向き略コ字形状に形成されているので、その水平脚部１４ｂがバックＹの底部５０の内面に安定的に支持されるという利点がある。
【００２８】
図９乃至図１２は本発明の第４実施形態である。図９はバック用小物収納具Ｘ１の分解斜視図で、小物収納体１Ａは、ベース板２の背面２ｂの両端部に固定された左右一対の第１取付け体４、４は第１実施形態のそれらと同一であるが、図面上向こう側の正面２ａに設けられたポケット部３，３は複数個である点が異なる。
【００２９】
また４実施形態の棒状連結体１１Ｂは、第１実施形態と同様に棒状上部連結体１２Ｂと棒状下部連結体１４Ｂが互いに嵌合するものの、棒状連結体１１Ｂは棒状上部連結体１２Ｂを棒状下部連結体１４Ｂから引出又は引っ込める（伸縮可能である）点が異なる。さらに、棒状上部連結体１２Ｂを棒状下部連結体１４Ｂから引き伸ばした所で該棒状上部連結体１２Ｂをロックするロック手段２０を備えている点で異なる。
【００３０】
前記ロック手段２０は、例えば図９及び図１１で示すように、棒状上部連結体１２Ｂは貫通小孔２２を有し、一方、棒状下部連結体１４Ｂは上下方向の複数個の位置決め用ロック小孔２３ａ、２３ｂを有し、前記貫通小孔２２は前記上下の位置決め用ロック小孔２３ａ、２３ｂに選択的に符合する。
【００３１】
そこで、図１１及び図１２で示すように、棒状上部連結体１２Ｂの基端部が該棒状上部連結体１２Ｂの内面に固定された水平状態の付勢バネ２１と、この付勢バネ２１の先端部が軸芯方向に対して直交する方向に付勢された断面横向き略ハット形状のロック片２４とが設けられ、前記ロック片２４の係合突起部は、例えば棒状上部連結体１２Ｂを棒状下部連結体１４Ｂから引出した所で、前記位置決め用ロック小孔２３ａ、２３ｂに選択的に係合する。
【００３２】
なお、第４実施形態に於いても、前記棒状下部連結体１４Ｂを、第３実施形態と同様に上向き略コ字形状に形成し、「複数（２本）」から「単数（１本）」に設計変更をしても良い。
【００３３】
したがって、このバック用小物収納具Ｘ１は、小物収納体１Ａと、この小物収納体の背面に固定的に設けられた左右一対の第１取付け体４、４と、これらの第１取付け体に取外し可能に係着する左右一対の第２取付け体７、７と、これらの第２取付け体にそれぞれ設けられた左右一対の棒状上部連結体１２Ｂ、１２Ｂと、これらの棒状上部連結体の下端部に互いの連結構造１３、１３により取り外し可能に接続し、前記小物収納体１Ａをバックの底面に対して底上げする単数又は複数のいずれかの棒状下部連結体１４Ｂ、１４Ｂとから成り、前記左右一対の棒状上部連結体１２Ｂ、１２Ｂは、前記棒状下部連結体１４Ｂ、１４Ｂに対して伸縮可能であり、しかも、前記棒状上部連結体１２Ｂ、１２Ｂを引き伸し又は引っ込めた所で、該棒状上部連結体と前記棒状下部連結体にロックするロック手段２０を備えている。
【００３４】
次に図１３は第５実施形態である。（ａ）はバック用小物収納具Ｘ２の正面図、（ｂ）は前記（ａ）において小物収納部を底上げした場合の正面図である。この第５実施形態は、「棒状連結体１１Ｃ」は、棒状上部連結体と棒状下部連結体に分割されていない。したがって、棒状上部連結体と棒状下部連結体には「連結構造」がない。付言すると棒状連結体１１Ｃは左右それぞれ「１本」である。
【００３５】
したがって、このバック用小物収納具Ｘ２は、小物収納体１と、この小物収納体の背面に固定的に設けられた左右一対の第１取付け体４、４と、これらの第１取付け体にそれぞれ係着自在な第２取付け体７、７と、これらの第２取付け体の端部又は中央部のいずれかにそれぞれ設けられた左右一対の縦長の受入部８、８と、これらの縦長の受入部にそれぞれ取外し可能に嵌挿される左右一対の所定長の棒状連結体１１Ｃ、１１Ｃとか成り、前記棒状連結体１１Ｃ、１１Ｃの上端部を前記受入部８，８に嵌挿すると、前記小物収納体１はバックＹの底部５０の内面に対して底上げされる。
【００３６】
上記構成に於いて、係着自在な第２取付け体７、７の係着位置を上下方向に位置変位させると、縦長の受入部８、８の上下方向の位置も変わるので、小物収納体１はバックＹの底部５０の内面に対して微妙に底上げすることができる。
【００３７】
なお、特に図示しないが、この第５実施形態に於いても、前記左右一対の所定長の棒状連結体１１Ｃ、１１Ｃを全体して上向き略コ字形状に形成し、「複数（２本）」から「単数（１本）」に設計変更をしても良い。
【産業上の利用可能性】
【００３８】
本発明は、トートバック等のバック類に入れて利用することができる。
【符号の説明】
【００３９】
Ｘ、Ｘ１、Ｘ２…バック用小物収納具、
Ｙ…バック、
１、１Ａ……小物収納体、
２…ベース板、
２ａ…正面、２ｂ…背面、
３…ポケット部、
４…第１取付け体、
７…第２取付け体、８…受入部、
１１、１１Ａ、１１Ｃ…棒状連結体、
１２、１２Ｂ…棒状上部連結体、
１３…連結構造、
１４、１４Ａ、１４Ｂ…棒状下部連結体、
２０…ロック手段、
２１…付勢バネ、
５０…バックＹの底部。
【図１】
2018000536.tif 000003
【図２】
2018000536.tif 000004
【図３】
2018000536.tif 000005
【図４】
2018000536.tif 000006
【図５】
2018000536.tif 000007
【図６】
2018000536.tif 000008
【図７】
2018000536.tif 000009
【図８】
2018000536.tif 000010
【図９】
2018000536.tif 000011
【図１０】
2018000536.tif 000012
【図１１】
2018000536.tif 000013
【図１２】
2018000536.tif 000014
【図１３】
2018000536.tif 000015